(57)【要約】【課題】  液晶パネルの負荷が増大しても、液晶パネルを点灯させることができる液晶パネル駆動装置を提供する。【解決手段】  液晶パネル駆動基準電圧Ｖ１００と液晶パネル駆動電圧の最低電位Ｖ１０１と昇圧回路１１０が生成した電圧Ｖ１１０と液晶パネル表示データＳ１３０とを基にセグメント信号生成回路１４０で複数のセグメント信号Ｓ１４０を生成する。液晶パネル駆動基準電圧Ｖ１００と液晶パネル駆動電圧の最低電位Ｖ１０１と昇圧回路１１０が生成した電圧Ｖ１１０とを基にコモン信号生成回路１２０で複数のコモン信号Ｓ１２０を生成する。複数のセグメント信号Ｓ１４０と複数のコモン信号Ｓ１２０とで液晶パネル１５０を駆動する。昇圧回路１１０が出力する電圧Ｖ１１０と液晶パネル駆動基準電圧Ｖ１００とを電圧比較回路１７０で比較し、比較結果に基づいて、クロック制御回路１６０で昇圧クロックＳ１６０の周波数を変化させる。【選択図】        図１
2006039128.tif 000002
【特許請求の範囲】
【請求項１】
昇圧クロックを基に液晶パネル駆動基準電圧を所定数倍に昇圧した電圧を一つまたは複数生成する昇圧回路と、
液晶パネル表示データを格納する表示データ格納回路と、
前記液晶パネル駆動基準電圧と液晶パネル駆動電圧の最低電位と前記昇圧回路が生成した電圧と前記液晶パネル表示データとを基に複数のセグメント信号を生成するセグメント信号生成回路と、
前記液晶パネル駆動基準電圧と前記液晶パネル駆動電圧の最低電位と前記昇圧回路が生成した電圧とを基に複数のコモン信号を生成するコモン信号生成回路と、
前記セグメント信号生成回路のセグメント信号と前記コモン信号生成回路のコモン信号とによって駆動される液晶パネルと、
前記昇圧回路が出力する電圧と前記液晶パネル駆動基準電圧とを比較して両電圧の大小関係を基に制御信号を出力する電圧比較回路と、
前記電圧比較回路が出力した制御信号により前記昇圧クロックの周波数を変化させるクロック制御回路とを備えた液晶パネル駆動装置。
【請求項２】
前記昇圧回路は、前記液晶パネル駆動基準電圧を２倍した電圧と３倍した電圧とを生成することを特徴とする請求項１記載の液晶パネル駆動装置。
【請求項３】
前記セグメント信号生成回路および前記コモン信号生成回路は、前記液晶パネル駆動電圧の最低電位として、グランド電位が与えられることを特徴とする請求項１または２記載の液晶パネル駆動装置。
【請求項４】
昇圧クロックを基に液晶パネル駆動基準電圧を所定数倍に昇圧した電圧を一つまたは複数生成する昇圧回路と、
液晶パネル表示データを格納する表示データ格納回路と、
前記液晶パネル駆動基準電圧と液晶パネル駆動電圧の最低電位と前記昇圧回路が生成した電圧と前記液晶パネル表示データとを基に複数のセグメント信号を生成するセグメント信号生成回路と、
前記液晶パネル駆動基準電圧と前記液晶パネル駆動電圧の最低電位と前記昇圧回路が生成した電圧とを基に複数のコモン信号を生成するコモン信号生成回路と、
前記セグメント信号生成回路のセグメント信号と前記コモン信号生成回路のコモン信号とによって駆動される複数の液晶パネルと、
前記昇圧回路が出力する電圧と前記液晶パネル駆動基準電圧とを比較して両電圧の大小関係を基に制御信号を出力する電圧比較回路と、
前記電圧比較回路が出力した制御信号により前記昇圧クロックの周波数を変化させるクロック制御回路と、
前記電圧比較回路の制御信号により、前記複数の液晶パネルのうちの使用中の一の液晶パネルの短絡故障の発生を検出して、セグメント信号の出力先を前記複数の液晶パネルのうちの使用していない他の液晶パネルに切り替えるセグメント信号切り替え回路と、
前記電圧比較回路の制御信号により、前記複数の液晶パネルのうちの使用中の一の液晶パネルの短絡故障の発生を検出して、コモン信号の出力先を前記複数の液晶パネルのうちの使用していない他の液晶パネルに切り替えるコモン信号切り替え回路とを備えた液晶パネル駆動装置。
【請求項５】
前記昇圧回路は、前記液晶パネル駆動基準電圧を２倍した電圧と３倍した電圧とを生成することを特徴とする請求項４記載の液晶パネル駆動装置。
【請求項６】
前記セグメント信号生成回路および前記コモン信号生成回路は、前記液晶パネル駆動電圧の最低電位として、グランド電位が与えられることを特徴とする請求項４または５記載の液晶パネル駆動装置。
【請求項７】
昇圧クロックを基に液晶パネル駆動基準電圧を所定数倍に昇圧した電圧を一つまたは複数生成する昇圧回路と、
液晶パネル表示データを格納する表示データ格納回路と、
前記液晶パネル駆動基準電圧と液晶パネル駆動電圧の最低電位と前記昇圧回路が生成した電圧と前記液晶パネル表示データとを基に複数のセグメント信号を生成するセグメント信号生成回路と、
前記液晶パネル駆動基準電圧と前記液晶パネル駆動電圧の最低電位と前記昇圧回路が生成した電圧を基に複数のコモン信号を生成するコモン信号生成回路と、
前記セグメント信号生成回路のセグメント信号と前記コモン信号生成回路のコモン信号とによって駆動される液晶パネルと、
前記各セグメント信号の電圧と前記液晶パネル駆動基準電圧とを比較して両電圧の大小関係を基に複数の制御信号を出力する電圧比較回路と、
前記電圧比較回路が出力する複数の制御信号を選択的に出力する制御信号選択回路と、
前記制御信号選択回路が出力した制御信号により前記昇圧クロックの周波数を変化させるクロック制御回路と、
前記制御信号選択回路が出力した制御信号を基に表示データ格納回路内の液晶パネル表示データを書き換えることにより前記液晶パネルの短絡故障個所を非点灯とする表示データ書き換え回路とを備えた液晶パネル駆動装置。
【請求項８】
前記昇圧回路は、前記液晶パネル駆動基準電圧を２倍した電圧と３倍した電圧とを生成することを特徴とする請求項７記載の液晶パネル駆動装置。
【請求項９】
前記セグメント信号生成回路および前記コモン信号生成回路は、前記液晶パネル駆動電圧の最低電位として、グランド電位が与えられることを特徴とする請求項７または８記載の液晶パネル駆動装置。
【請求項１０】
昇圧クロックを基に液晶パネル駆動基準電圧を所定数倍に昇圧した電圧を一つまたは複数生成する昇圧回路と、
液晶パネル表示データを格納する表示データ格納回路と、
前記液晶パネル駆動基準電圧と液晶パネル駆動電圧の最低電位と前記昇圧回路が生成した電圧と前記液晶パネル表示データとを基に複数のセグメント信号を生成するセグメント信号生成回路と、
前記液晶パネル駆動基準電圧と前記液晶パネル駆動電圧の最低電位と前記昇圧回路が生成した電圧とを基に複数のコモン信号を生成するコモン信号生成回路と、
前記セグメント信号生成回路のセグメント信号と前記コモン信号生成回路のコモン信号とによって駆動される液晶パネルと、
前記昇圧回路が出力する電圧と前記液晶パネル駆動基準電圧とを比較して両電圧の大小関係を基に制御信号を出力する電圧比較回路と、
前記電圧比較回路が出力した制御信号により前記昇圧クロックの周波数を変化させるクロック制御回路と、
前記表示データ格納回路内の液晶パネル表示データを書き換える表示データ書き換え回路と、
前記液晶パネルの故障を検出するための表示パターンを生成する検出パターン生成回路と、
前記電圧比較回路が出力する制御信号を基に前記検出パターン生成回路および表示データ書き換え回路を制御する検出パターン制御回路とを備え、
前記表示データ格納回路内の液晶パネル表示データを一部分ずつ順に前記表示パターンに書き換え、各々の書き換え時における前記電圧比較回路から出力される制御信号に基づき前記液晶パネルの短絡故障箇所を検出し、前記液晶パネルの故障個所を非点灯とするように前記表示データ格納回路内の液晶パネル表示データを書き換えるようにした液晶パネル駆動装置。
【請求項１１】
前記昇圧回路は、前記液晶パネル駆動基準電圧を２倍した電圧と３倍した電圧とを生成することを特徴とする請求項１０記載の液晶パネル駆動装置。
【請求項１２】
前記セグメント信号生成回路および前記コモン信号生成回路は、前記液晶パネル駆動電圧の最低電位として、グランド電位が与えられることを特徴とする請求項１０または１１記載の液晶パネル駆動装置。
【発明の詳細な説明】
【技術分野】
【０００１】
本発明は、昇圧回路によって昇圧された駆動電圧により駆動される液晶パネルにおいて、液晶パネルの負荷に対して昇圧クロックを変化させ最適な昇圧電圧を得る機能を有する液晶パネル駆動装置に関するものである。
【背景技術】
【０００２】
近年、電子式携帯ゲーム機をはじめ、電子式小型計算機など表示部分に消費電力の少ない液晶パネルが使用されることが多くなっており、またその液晶パネルを駆動する液晶パネル駆動装置も多く使用されている。
【０００３】
特開昭５５−７６３８７号公報にあるように、電池電源と、この電池電源から出力される電池電圧を昇圧して昇圧電圧を得る昇圧手段により液晶駆動信号を液晶表示装置に供給する手段とを有する液晶パネル駆動装置が知られている。また、下記に述べる回路も一般的に知られている。
【０００４】
図５は従来の液晶パネル駆動装置の構成を示す概略ブロック図である。液晶パネルは、複数のセグメント信号線と複数のコモン信号線によるマトリックス構造を持ち、交わるセグメント信号線とコモン信号線の電位差で液晶表示素子を点灯させている。
【０００５】
この液晶パネル駆動装置は、昇圧回路７６０と、セグメント信号線とコモン信号線とを持つ液晶パネル７５０と、セグメント信号生成回路７４０と、コモン信号生成回路７２０と、表示データ格納回路７３０とから構成されている。
【０００６】
昇圧回路７６０は、液晶パネル駆動基準電圧Ｖ７００と昇圧基準クロックＳ７０５とから、液晶パネル駆動基準電圧Ｖ７００の複数倍（ｎ倍）の電圧Ｖ７１０を生成する。
【０００７】
セグメント信号生成回路７４０は、液晶パネル駆動基準電圧Ｖ７００と昇圧回路７６０の出力電圧Ｖ７１０と液晶パネル駆動電圧の最低電位であるグランド電位Ｖ７０１と表示データとから液晶パネル７５０のセグメント信号Ｓ７４０を生成する。
【０００８】
コモン信号生成回路７２０は、液晶パネル駆動基準電圧Ｖ７００と昇圧回路７６０の出力電圧Ｖ７１０と液晶パネル駆動電圧の最低電位であるグランド電位Ｖ７０１とから液晶パネル７５０のコモン信号Ｓ７２０を生成する。
【０００９】
表示データ格納回路７３０は、液晶パネル７５０に表示する表示データを格納する。
【００１０】
液晶パネル７５０のセグメントは、表示データ格納回路７３０から出力される表示データＳ７３０が点灯データの時、セグメント信号Ｓ７４０とコモン信号Ｓ７２０の電位差が最大となり点灯する。
【特許文献１】特開昭５５−７６３８７号公報
【発明の開示】
【発明が解決しようとする課題】
【００１１】
上記従来の液晶パネル駆動装置においては、液晶パネル７５０の点灯セグメント数が少ない時、昇圧回路７６０は液晶パネル７５０を点灯させるのに十分な昇圧電圧Ｖ７１０を出力しているが、点灯セグメント数が増えると液晶パネル７５０の負荷が増大し、液晶パネル７５０を点灯させるのに十分な昇圧電圧Ｖ７１０を出力することができない。
【００１２】
本発明の目的は、液晶パネルの負荷が増大しても、液晶パネルを点灯させることができる液晶パネル駆動装置を提供することである。
【００１３】
本発明の他の目的は、セグメント信号線とコモン信号線の短絡によって一の液晶パネルが故障したときに、一の液晶パネルの代わりに他の液晶パネルで表示データを表示させることができる液晶パネル駆動装置を提供することである。
【００１４】
本発明のさらに他の目的は、液晶パネルのセグメント信号線とコモン信号線の間のショート故障が発生しても、液晶パネルに故障セグメントに異常電流が流れるのを防止することができる液晶パネル駆動装置を提供することである。
【００１５】
本発明のさらに他の目的は、液晶パネルのセグメント信号線とコモン信号線との間のショート故障の発生を検出することができる液晶パネル駆動装置を提供することである。
【課題を解決するための手段】
【００１６】
上記課題を解決するために、第１の発明の液晶パネル駆動装置は、昇圧クロックを基に液晶パネル駆動基準電圧を所定数倍に昇圧した電圧を一つまたは複数生成する昇圧回路と、液晶パネル表示データを格納する表示データ格納回路と、液晶パネル駆動基準電圧と液晶パネル駆動電圧の最低電位と昇圧回路が生成した電圧と液晶パネル表示データとを基に複数のセグメント信号を生成するセグメント信号生成回路と、液晶パネル駆動基準電圧と液晶パネル駆動電圧の最低電位と昇圧回路が生成した電圧とを基に複数のコモン信号を生成するコモン信号生成回路と、セグメント信号生成回路のセグメント信号とコモン信号生成回路のコモン信号とによって駆動される液晶パネルと、昇圧回路が出力する電圧と液晶パネル駆動基準電圧とを比較して両電圧の大小関係を基に制御信号を出力する電圧比較回路と、電圧比較回路が出力した制御信号により昇圧クロックの周波数を変化させるクロック制御回路とを備えている。
【００１７】
この構成によれば、液晶パネルの負荷が増大し昇圧電圧の低下が検出されても昇圧回路の昇圧クロック周波数を上げることにより、昇圧電圧の低下を防ぎ液晶パネルを継続して点灯させることができる。
【００１８】
第２の発明の液晶パネル駆動装置は、昇圧クロックを基に液晶パネル駆動基準電圧を所定数倍に昇圧した電圧を一つまたは複数生成する昇圧回路と、液晶パネル表示データを格納する表示データ格納回路と、液晶パネル駆動基準電圧と液晶パネル駆動電圧の最低電位と昇圧回路が生成した電圧と液晶パネル表示データとを基に複数のセグメント信号を生成するセグメント信号生成回路と、液晶パネル駆動基準電圧と液晶パネル駆動電圧の最低電位と昇圧回路が生成した電圧とを基に複数のコモン信号を生成するコモン信号生成回路と、セグメント信号生成回路のセグメント信号とコモン信号生成回路のコモン信号とによって駆動される複数の液晶パネルと、昇圧回路が出力する電圧と液晶パネル駆動基準電圧とを比較して両電圧の大小関係を基に制御信号を出力する電圧比較回路と、電圧比較回路が出力した制御信号により昇圧クロックの周波数を変化させるクロック制御回路と、電圧比較回路の制御信号により、複数の液晶パネルのうちの使用中の一の液晶パネルの短絡故障の発生を検出して、セグメント信号の出力先を複数の液晶パネルのうちの使用していない他の液晶パネルに切り替えるセグメント信号切り替え回路と、電圧比較回路の制御信号により、複数の液晶パネルのうちの使用中の一の液晶パネルの短絡故障の発生を検出して、コモン信号の出力先を複数の液晶パネルのうちの使用していない他の液晶パネルに切り替えるコモン信号切り替え回路とを備えている。
【００１９】
この構成によれば、液晶パネルにおいてセグメント信号線とコモン信号線とがショート故障を起こしている事を、電圧比較回路の昇圧電圧と液晶パネル駆動基準電圧の比較において著しく昇圧電圧が低下している事から検出し、セグメント信号切り替え回路およびコモン信号切り替え回路に制御信号を送り別の液晶パネルに表示データを表示することができる。その他、第１の発明と同様の作用効果を有する。
【００２０】
第３の発明の液晶パネル駆動装置は、昇圧クロックを基に液晶パネル駆動基準電圧を所定数倍に昇圧した電圧を一つまたは複数生成する昇圧回路と、液晶パネル表示データを格納する表示データ格納回路と、液晶パネル駆動基準電圧と液晶パネル駆動電圧の最低電位と昇圧回路が生成した電圧と液晶パネル表示データとを基に複数のセグメント信号を生成するセグメント信号生成回路と、液晶パネル駆動基準電圧と液晶パネル駆動電圧の最低電位と昇圧回路が生成した電圧を基に複数のコモン信号を生成するコモン信号生成回路と、セグメント信号生成回路のセグメント信号とコモン信号生成回路のコモン信号とによって駆動される液晶パネルと、各セグメント信号の電圧と液晶パネル駆動基準電圧とを比較して両電圧の大小関係を基に複数の制御信号を出力する電圧比較回路と、電圧比較回路が出力する複数の制御信号を選択的に出力する制御信号選択回路と、制御信号選択回路が出力した制御信号により昇圧クロックの周波数を変化させるクロック制御回路と、制御信号選択回路が出力した制御信号を基に表示データ格納回路内の液晶パネル表示データを書き換えることにより前記液晶パネルの短絡故障個所を非点灯とする表示データ書き換え回路とを備えている。
【００２１】
この構成によれば、各セグメント信号線に備わる比較回路によって液晶パネルのどのセグメント信号線がショート故障しているかを検出し、故障しているセグメントが点灯しないように表示データ格納回路内の表示データを書き換える事により故障セグメントに異常電流を流す事をなくすことができる。その他、第１の発明と同様の作用効果を有する。
【００２２】
第４の発明の液晶パネル駆動装置は、昇圧クロックを基に液晶パネル駆動基準電圧を所定数倍に昇圧した電圧を一つまたは複数生成する昇圧回路と、液晶パネル表示データを格納する表示データ格納回路と、液晶パネル駆動基準電圧と液晶パネル駆動電圧の最低電位と昇圧回路が生成した電圧と液晶パネル表示データとを基に複数のセグメント信号を生成するセグメント信号生成回路と、液晶パネル駆動基準電圧と液晶パネル駆動電圧の最低電位と昇圧回路が生成した電圧とを基に複数のコモン信号を生成するコモン信号生成回路と、セグメント信号生成回路のセグメント信号とコモン信号生成回路のコモン信号とによって駆動される液晶パネルと、昇圧回路が出力する電圧と液晶パネル駆動基準電圧とを比較して両電圧の大小関係を基に制御信号を出力する電圧比較回路と、電圧比較回路が出力した制御信号により昇圧クロックの周波数を変化させるクロック制御回路と、表示データ格納回路内の液晶パネル表示データを書き換える表示データ書き換え回路と、液晶パネルの故障を検出するための表示パターンを生成する検出パターン生成回路と、電圧比較回路が出力する制御信号を基に検出パターン生成回路および表示データ書き換え回路を制御する検出パターン制御回路とを備えている。そして、表示データ格納回路内の液晶パネル表示データを一部分ずつ順に表示パターンに書き換え、各々の書き換え時における電圧比較回路から出力される制御信号に基づき液晶パネルの短絡故障箇所を検出し、液晶パネルの故障個所を非点灯とするように表示データ格納回路内の液晶パネル表示データを書き換えるようにしている。
【００２３】
この構成によれば、液晶パネル内にセグメント信号線とコモン信号線とのショート故障を電圧比較回路が検出したときに、どのセグメント信号線上でショート故障が起こっているかを検出することができる検出パターンを生成し、その検出パターンを自動的に表示データ格納回路に格納する事によりショート故障を起こしているセグメント信号線を検出し、故障しているセグメントが点灯しないように表示データ格納回路内の表示データを書き換える事により故障セグメントに異常電流を流す事をなくすことができる。その他、第１の発明と同様の作用効果を有する。
【００２４】
上記の第１から第４までの発明の液晶パネル駆動装置において、液晶パネル駆動基準電圧を２倍した電圧と３倍した電圧とを生成する。また、セグメント信号生成回路およびコモン信号生成回路は、前記液晶パネル駆動電圧の最低電位として、グランド電位が与えられる。
【発明の効果】
【００２５】
本発明によって、液晶パネルの負荷が変化して昇圧電圧が降下した場合でも自動で最適な昇圧クロックを生成する事により液晶パネルを点灯し続ける事ができる。
【発明を実施するための最良の形態】
【００２６】
以下、本発明の実施の形態を、図面を参照しながら説明する。
【００２７】
（実施の形態１）
図1は本発明の実施の形態１における液晶パネル駆動装置の構成を示すブロック図である。図１において、Ｖ１００は液晶パネル駆動基準電圧である。Ｖ１０１は液晶パネル表示駆動電圧の最低電位を供給するグランド電位である。Ｓ１０５は昇圧基準クロックである。
【００２８】
昇圧クロック制御回路１６０は、昇圧基準クロックＳ１０５を入力とし、電圧比較回路１７０の制御信号Ｓ１７０を受けて昇圧回路１１０に与える昇圧クロックＳ１６０の周期を変更する。
【００２９】
チャージポンプ方式の昇圧回路１１０は、昇圧クロックＳ１６０のタイミングで液晶パネル駆動基準電圧Ｖ１００を複数倍（例えば、２倍または３倍）した昇圧電圧Ｖ１１０を出力する。
【００３０】
コモン信号生成回路１２０は、昇圧電圧Ｖ１１０と液晶パネル駆動基準電圧Ｖ１００とグランド電位Ｖ１０１とから液晶パネル１５０を駆動するコモン信号Ｓ１２０を生成する。
【００３１】
表示データ格納回路１３０は、液晶パネル１５０に表示させる表示データＳ１３０を格納する。表示データＳ１３０は表示データ格納回路１３０からセグメント信号生成回路１４０に送られる。
【００３２】
セグメント信号生成回路１４０は、昇圧電圧Ｖ１１０と液晶パネル駆動基準電圧Ｖ１００とグランド電位Ｖ１０１とから表示データＳ１３０に対応して液晶パネル１５０を駆動するセグメント信号Ｓ１４０を生成する。
【００３３】
液晶パネル１５０は、コモン信号Ｓ１２０とセグメント信号Ｓ１４０とによって駆動される。
【００３４】
電圧比較回路１７０は、昇圧電圧Ｖ１１０と液晶パネル駆動基準電圧Ｖ１００とを比較して昇圧クロック制御信号Ｓ１７０を出力する。Ｓ１７０は、電圧比較回路１７０から出力され昇圧クロック制御回路１６０に入力される昇圧クロック制御信号である。
【００３５】
以上のように構成された液晶パネル駆動装置について、以下その動作を説明する。図２において、時刻０〜時刻２０ｃの間は昇圧クロックＳ１６０の周期はＴ２０１であり、周期Ｔ２０１毎に、つまり時刻０，２０ａ，２０ｃで昇圧クロックが発生している。時刻０〜時刻２０ｂまでの間は、昇圧電圧Ｖ１１０は液晶パネル１５０の負荷に対して十分能力があるため、液晶パネル表示下限電圧Ｖ２０１を下回らない。
【００３６】
しかし、時刻２０ａ以後、液晶パネル１５０の負荷が大きくなると、昇圧電圧Ｖ１１０の下降勾配が急になり、昇圧クロックＳ１６０の発生タイミングである時刻２０ｃより前の時刻２０ｂで昇圧電圧Ｖ１１０は液晶パネル表示下限電圧Ｖ２０１を下回ってしまい、液晶パネル１５０は時刻２０ｂからつぎに昇圧クロックが発生する時刻２０ｃまでの期間消灯する。
【００３７】
時刻２０ｃにおいて、電圧比較回路１７０は昇圧電圧Ｖ１１０と液晶パネル駆動基準電圧Ｖ１００とを比較すると、昇圧電圧Ｖ１１０が液晶パネル表示下限電圧Ｖ２０１を下回っているため、昇圧クロック制御信号（電圧）Ｓ１７０を出力し、昇圧クロックＳ１６０の周波数を高くする。
【００３８】
この電圧比較動作と昇圧クロック制御を繰り返すことにより、昇圧クロックＳ１６０の発生周期は、Ｔ２０２，Ｔ２０３，Ｔ２０４と徐々に短くなっていき、昇圧クロックＳ１６０は、時刻２０ｄ，２０ｅ，２０ｆで各々発生することになる。その結果、時刻２０ｆには昇圧電圧Ｖ１１０は液晶パネル表示下限電圧Ｖ２０１より下がることがなくなり、液晶パネル１５０を連続して点灯させることができる。
【００３９】
（実施の形態２）
図３は本発明の実施の形態２における液晶パネル駆動装置の構成を示すブロック図である。図３において、Ｖ３００は液晶パネル駆動基準電圧である。Ｖ３０１は液晶パネル表示電圧の最低電位を供給するグランド電位である。Ｓ３０５は昇圧基準クロックである。
【００４０】
昇圧クロック制御回路３６０は電圧比較回路３７０の制御信号Ｓ３７０をうけて昇圧回路３１０の昇圧クロックＳ３６０の周期を変更する。
【００４１】
チャージポンプ方式の昇圧回路３１０は、昇圧クロックＳ３６０のタイミングで液晶パネル駆動基準電圧Ｖ３００を複数倍（例えば、２倍または３倍）した昇圧電圧Ｖ３１０を出力する。
【００４２】
コモン信号生成回路３２０は、昇圧電圧Ｖ３１０と液晶パネル駆動基準電圧Ｖ３００とグランド電位Ｖ３０１とから液晶パネル３５０，３５５を駆動するコモン信号Ｓ３２０を生成する。
【００４３】
表示データ格納回路３３０は、液晶パネル３５０，３５５に表示させる表示データＳ３３０を格納する。表示データＳ３３０は表示データ格納回路３３０からセグメント信号生成回路に送られる。
【００４４】
セグメント信号生成回路３４０は、昇圧電圧Ｖ３１０と液晶パネル駆動基準電圧Ｖ３００とグランド電位Ｖ３０１とから表示データＳ３３０に対応して液晶パネル３５０，３５５を駆動するセグメント信号Ｓ３４０を生成する。
【００４５】
セグメント信号切り替え回路３４５は、セグメント信号生成回路３４０が出力するセグメント信号Ｓ３４０を電圧比較回路３７０が出力する液晶パネル切り替え制御信号Ｓ３７０−２に応じて、第１の液晶パネル３５０および第２の液晶パネル３５５の何れか一方に選択的に出力する。Ｓ３４５−１はセグメント信号切り替え回路３４５によって液晶パネル３５０に出力されるセグメント信号である。Ｓ３４５−２はセグメント信号切り替え回路３４５によって液晶パネル３５５に出力されるセグメント信号である。
【００４６】
コモン信号切り替え回路３２５は、コモン信号生成回路３２０が出力するコモン信号Ｓ３２０を電圧比較回路３７０が出力する液晶パネル切り替え制御信号Ｓ３７０−２に応じて、第１の液晶パネル３５０および第２の液晶パネル３５５の何れか一方に選択的に出力する。Ｓ３２５−１はコモン信号切り替え回路３２５によって液晶パネル３５０に出力されるコモン信号である。Ｓ３２５−２はコモン信号切り替え回路３２５によって液晶パネル３５５に出力されるコモン信号である。
【００４７】
第１の液晶パネル３５０は、コモン信号Ｓ３２５−１とセグメント信号Ｓ３４５−１とによって駆動される。第２の液晶パネル３５５はコモン信号Ｓ３２５−２とセグメント信号Ｓ３４５−２とによって駆動される。
【００４８】
電圧比較回路３７０は昇圧電圧Ｖ３１０と液晶パネル駆動基準電圧Ｖ３００とを比較して２つの制御信号を出力する。Ｓ３７０−１は電圧比較回路３７０から昇圧クロック制御回路３６０に出力される昇圧クロック制御信号である。Ｓ３７０−２は電圧比較回路３７０から出力されセグメント信号切り替え回路３４５とコモン信号切り替え回路３２５とに出力される液晶パネル切り替え制御信号である。
【００４９】
以上のように構成された液晶パネル駆動装置について、以下その動作を説明する。
【００５０】
図４において、時刻０〜時刻４０ｂの間は昇圧クロックＳ３６０の周期はＴ４０１である。このとき、昇圧電圧Ｖ３１０は液晶パネル３５０の負荷に対して十分能力があるため、液晶パネル表示下限電圧Ｖ４０１を下回る事はない。
【００５１】
ここで、液晶パネル４５０内で例えばセグメント信号Ｓ３４５−１とコモン信号Ｓ３２５−１とがショート故障している場合について説明する。電圧比較回路３７０は昇圧電圧Ｖ３１０が時刻４０ｂで液晶パネル表示下限電圧Ｖ４０１を下回っている事を検出し昇圧クロック制御信号Ｓ３７０−１を出力する。それによって、時刻４０ｃから時刻４０ｄの間は先ほどよりも短い周期であるＴ４０２となる。以上の動作を繰り返し、時刻４０ｆにおいては昇圧クロック制御回路３６０の下限周期であるＴ４０４となっている。
【００５２】
ところが、電圧比較回路３７０はまだ昇圧電圧Ｖ３１０が液晶パネル表示下限電圧Ｖ４０１より低い事を検出し、液晶パネル３５０内にセグメント信号線とコモン信号線のショート故障があると判断し、液晶パネル切り替え制御信号Ｓ３７０−２を発生する。
【００５３】
そして、セグメント信号切り替え回路３４５とコモン信号切り替え回路Ｓ３２５は、電圧比較回路３７０の制御信号である液晶パネル切り替え制御信号Ｓ３７０−２によってセグメント信号Ｓ３４０とコモン信号Ｓ３２０の出力先を液晶パネル３５０から液晶パネル３５５に変更する事により故障した液晶パネル３５０を使用せず、別の液晶パネル３５５を駆動する。以上により、液晶パネル３５０の故障を検出することができ、別の液晶パネル３５５に切り替えることができるという効果を有する。
【００５４】
なお、液晶パネル１５０が正常なときに、負荷の大きさに応じて昇圧クロックＳ３６０の周波数を増減させる制御が行われるのは、実施の形態１と同様である。
【００５５】
本発明において、セグメント信号生成回路３４０が出力するセグメント信号としてセグメント信号Ｓ３４０、セグメント信号切り替え回路３４５が第１の液晶パネル３５０に出力するセグメント信号としてセグメント信号Ｓ３４５−１、セグメント信号切り替え回路３４５が第２の液晶パネル３５５に出力するセグメント信号としてセグメント信号Ｓ３４５−２としたが、２つ以上のセグメント信号を有する液晶パネル駆動装置についても同様に実現できる。
【００５６】
また、コモン信号生成回路３２０が出力するコモン信号としてコモン信号Ｓ３２０、コモン信号切り替え回路３２５が第１の液晶パネル３５０に出力するコモン信号としてコモン信号Ｓ３２５−１、コモン信号切り替え回路３２５が第２の液晶パネル３５５に出力するコモン信号としてコモン信号Ｓ３２５−２としたが、２つ以上のコモン信号を有する液晶パネル駆動装置についても同様に実現できる。
【産業上の利用可能性】
【００５７】
本発明にかかる液晶パネル駆動装置は、液晶パネルの負荷が変化して昇圧電圧が降下した場合でも自動で最適な昇圧クロックを生成する事により液晶パネルを点灯し続ける事ができるという効果を有し、昇圧回路によって昇圧された駆動電圧により駆動される液晶パネルにおいて、液晶パネルの負荷に対して昇圧クロックを変化させ最適な昇圧電圧を得る機能を有する液晶パネル駆動装置等として有用である。
【図面の簡単な説明】
【００５８】
【図１】本発明の実施の形態１に係る液晶パネル駆動装置の構成を示すブロック図である。
【図２】本発明の実施の形態１の液晶パネル駆動装置の昇圧電圧を示す波形図である。
【図３】本発明の実施の形態２に係る液晶パネル駆動装置の構成を示すブロック図である。
【図４】本発明の実施の形態２の液晶パネル駆動装置の昇圧電圧を示す波形図である。
【図５】従来の液晶パネル駆動装置の構成を示すブロック図である。
【符号の説明】
【００５９】
Ｖ１００  液晶パネル駆動基準電圧
Ｖ１０１  液晶パネル表示電圧の最低電位を供給するグランド電位
Ｓ１０５  昇圧基準クロック
Ｓ１２０  コモン信号
Ｓ１３０  表示データ
Ｓ１４０  セグメント信号
Ｓ１７０  昇圧クロック制御信号
１１０  昇圧回路
１２０  コモン信号生成回路
１３０  表示データ格納回路
１４０  セグメント信号生成回路
１５０  液晶パネル
１６０  昇圧クロック制御回路
１７０  電圧比較回路
Ｖ３００  液晶パネル駆動基準電圧
Ｖ３０１  液晶パネル表示電圧の最低電位を供給するグランド電位
Ｓ３０５  昇圧基準クロック
Ｓ３２０  コモン信号
Ｓ３３０  表示データ
Ｓ３４０  セグメント信号
Ｓ３４５−１  液晶パネル３５０に出力されるセグメント信号
Ｓ３４５−２  液晶パネル３５５に出力されるセグメント信号
Ｓ３２５−１  液晶パネル３５０に出力されるコモン信号
Ｓ３２５−２  液晶パネル３５５に出力されるコモン信号
Ｓ３７０−１  昇圧クロック制御信号
Ｓ３７０−２  液晶パネル切り替え制御信号
３１０  昇圧回路
３２０  コモン信号生成回路
３２５  コモン信号切り替え回路
３３０  表示データ格納回路
３４０  セグメント信号生成回路
３４５  セグメント信号切り替え回路
３５０  第１の液晶パネル
３５５  第２の液晶パネル
３６０  昇圧クロック制御回路
３７０  電圧比較回路
【図１】
2006039128.tif 000003
【図２】
2006039128.tif 000004
【図３】
2006039128.tif 000005
【図４】
2006039128.tif 000006
【図５】
2006039128.tif 000007